(57)【要約】  【課題】台座部の厚みを増加させずに固定ベルト及び貼着部材のどちらを用いても、使用者の好みに合った履物に後付けでき、その履物を健康履物として機能させることができる履物台脚及びその保護パッド並びに健康履物用器具及びこれを用いた健康履物を提供すること。  【解決手段】台座部の載置面には前後両側にそれぞれ突起部が突設されており、載置面には前側の突起部と後側の突起部との間にベルト配置部が設けられ、このベルト配置部に固定ベルトが台座部の横幅方向に向かって配置される。このように台座部の載置面側にあるベルト配置部に固定ベルトを配置して、この固定ベルトの長手方向両端部を台座部の横幅方向両側にそれぞれあるベルト孔に挿通させて履物甲側に引き出すことで、固定ベルトの長手方向両端部が履物甲に捲着される。これによって、固定ベルトは、台座部に係着されるとともに載置面の裏面にある単脚部を避けながら台座部の横幅方向に掛け渡される。【選択図】        図１
2015019796.tif 000002
【特許請求の範囲】
【請求項１】
履物底と向き合って履物台が載置される載置面を有した台座部と、その台座部の載置面の裏面から下向き凸状かつ側面視弓形状に突設される単脚部とを有し、その単脚部が前記台座部を介して履物底に取り付けられることで履物を健康履物として機能させる履物台脚において、
前記載置面の前後両側にそれぞれ突設され履物底に衝合されて履物底と前記台座部との密着を邪魔する突起部と、
その前側の突起部と後側の突起部との間にある前記載置面に設けられ固定ベルトが前記台座部の横幅方向に向かって配置されるベルト配置部と、
そのベルト配置部における前記台座部の横幅方向両側に前記単脚部を避けて前記台座部の厚み方向に穿設され固定ベルトを挿通可能である一対のベルト孔とを備えており、
前記載置面に履物台が載置される状態において、前記台座部と履物底との間であって前記ベルト配置部に配置される固定ベルトの長手方向両端部が前記各ベルト孔を通じて前記台座部の載置面の裏面にそれぞれ挿通されて履物甲に捲着可能となる履物台脚。
【請求項２】
前記単脚部は、側面視弓形板状に形成され前後両端部が前記台座部に一体的に連設される脚板部と、その脚板部の前記台座部との対向面間に横幅方向に貫通する空洞部と、その空洞部内に形成され前記脚板部から前記台座部まで立設される支柱部とを備えていることを特徴とする請求項１記載の履物台脚。
【請求項３】
前記突起部の先端は尖形状に形成され履物底に食い込み可能に形成されていることを特徴とする請求項１又は２に記載の履物台脚。
【請求項４】
前記突起部は、前記載置面の前後左右４箇所から突設されるものであることを特徴とする請求項１から３のいずれかに記載の履物台脚。
【請求項５】
請求項１から４のいずれかに記載の前記履物台脚と、
その履物台脚の前記載置面に履物台が載置される状態において、前記台座部と履物底との間であって前記ベルト配置部に配置され、両端部が前記各ベルト孔を通じて前記台座部の載置面の裏面にそれぞれ挿通されて履物甲に捲着可能となる固定ベルトとを備えていることを特徴とする健康履物用器具。
【請求項６】
履物台脚の単脚部に着脱自在に取り付けられその単脚部の外面を覆って保護する保護パッドにおいて、
地面に接地可能な接地部と、その接地部の内面に所定高さ隆起して凸設される複数の緩衝突起と、前記接地部の前後両端から延設され履物台脚の単脚部に固定される取付部とを備えており、
その前後の取付部及び接地部が互いに連なることで履物台脚の単脚部に適合した側面視弓形状に形成され、その側面視弓形状の形態を保持する保形性のある弾性材で一体的に形成されていることを特徴とする保護パッド。
【請求項７】
前記複数の緩衝突起は前記接地部の内面から立設される扁平筒状に形成されていることを特徴する請求項６記載の保護パッド。
【請求項８】
前記前後の取付部に設けられ履物台脚の前後両側に固定具を用いて固定されるボス部と、そのボス部の裏面に凸設され履物台脚の前後に凹設される嵌合凹部に嵌合可能な扁平円錐台状の嵌合凸部とを備えていることを特徴とする請求項６又は７に記載の保護パッド。
【請求項９】
前記ボス部に穿設され固定具を係入可能な係入孔を備えており、前記嵌合凸部は、その嵌合凸部の前記嵌合凹部への嵌合によってその嵌合部内に設けられる固定具の係合部に対して前記係入孔を位置合せするものであることを特徴とする請求項６から８のいずれかに記載の保護パッド。
【請求項１０】
請求項１から４のいずれかに記載の履物台脚と、
請求項６から９のいずれかに記載の保護パッドとを備えていることを特徴とする健康履物用器具。
【請求項１１】
請求項６から９のいずれかに記載の保護パッドを備えていることを特徴とする請求項５記載の健康履物用器具。
【請求項１２】
請求項５、１０又は１１に記載の健康履物用器具を用いた健康履物。
【発明の詳細な説明】
【技術分野】
【０００１】
本発明は、履物に後付けされ当該履物を健康履物として機能させる履物台脚及びその保護パッド並びに健康履物用器具及びこれを用いた健康履物に関するものである。
【背景技術】
【０００２】
昨今を問わず、身体的な健康の維持増進は、人々の大きな関心事であり、このため、様々な健康器具が開発されており、例えば、下記特許文献１に記載されるが如き、健康履物などが提案されている。この健康履物は、断面視円弧状、弓形状又はこれらに類似の曲面となった凸曲面が履物本体の裏面に形成されており、この凸曲面を地面（床面を含む。以下同じ。）に接地させてバランスをとりながら歩行したり、凸曲面を支点に前後方向にシーソー運動させることで下肢をストレッチできるものである。
【０００３】
ところで、通常、一般的な履物についてみれば、使用者毎にデザインの好みが異なることも多く、又、その履き心地についても使用者毎に好みが異なることが多いものである。そして、このような使用者の好みは、健康履物のデザインや履き心地についても自ずと現れるものであり、使用者においては、なるべく自らの好みにあったデザインや履き心地のものを使用することを望むものである。
【特許文献１】実開昭６３−５４３０４号公報
【特許文献２】特開２００９−２５４４８２号公報
【特許文献３】特開２００８−２２０７３８号公報
【発明の開示】
【発明が解決しようとする課題】
【０００４】
しかしながら、上記した特許文献１における第１図から第４図に記載の健康履物では、凸曲面が履物本体の裏面に一体的に固定されているため、この履物本体のデザインや履き心地が使用者に気に入られなければ、かかる健康履物を使用して貰えないという問題点があった。
【０００５】
また、特許文献１における第５図及び第６図に記載の健康履物では、履物本体の裏面から凸曲面体（単脚部）が止着具やねじ釘を介して着脱可能に固定されるが、これらも、凸曲面体を固定するための専用の履物本体が必要となるため、この専用の履物本体のデザインや履き心地が使用者の好みと合致しない場合には、結局、かかる健康履物を使用して貰えないという問題点があった。
【０００６】
もっとも、かかる場合において、デザインや履き心地が異なる健康履物や履物本体を多数用意することも可能ではあるが、実際問題として、多数のバリエーションを製造するには、製造コストが嵩むことから、せいぜい数種類程度のごく僅かなバリエーションしか用意できないという実情にあった。
【０００７】
これに対し、特許文献２記載の健康履物用器具は、通常の履物に後付けすることでその履物を健康履物として機能するようにする器具であり、単脚部を片面に凸設した台座部を、通常の履物の履物底に貼着部材を介して固定して使用するものである。
【０００８】
この健康履物用器具によれば、台座部が貼着部材を介して履物底に固定されるため、例えば、何らかの理由で貼着部材の貼着力が低下した場合には、貼着部材を交換して台座部を履物底に付け直す必要があるため、交換用の貼着部材が手近にないようなときには履物台脚を履物底に付け直すことができず健康履物を使用できなくなってしまうことがある。
【０００９】
一方、特許文献３には、単脚部を片面に凸設した履物台を、固定ベルトによって使用者の足に直接捲着して使用する健康履物が記載されている。この健康履物は、履物台にその横幅方向に貫通したベルト孔が設けられており、このベルト孔に通した固定ベルトが使用者の足に直接捲着されることで使用されるものである。
【００１０】
例えば、この特許文献３の健康履物のような固定ベルトを用いた固定手段を、特許文献２の健康履物用器具に適用すれば、貼着部材の貼着力が低下した際に、貼着部材に代えて固定ベルトを用いて健康履物用器具を履物に取り付けて使用することも可能であるように考えられる。
【００１１】
しかしながら、特許文献３の健康履物は、履物台の横幅方向にベルト孔を貫通形成するスペースを確保しつつ履物台の剛性を維持するために履物台の厚みが大きく形成されているため、特許文献３の固定ベルト及びベルト孔の形態を特許文献２の健康履物用器具に適用しようとすると、健康履物用器具の台座部の厚みも全体重量も増加してしまう恐れがある。
【００１２】
この点、特許文献２の健康履物用器具はそもそも台座部を履物底に貼着部材を介して取り付けて固定するものであるため、健康履物用器具がその重みで履物底から剥落することを防止する必要があり、仮に固定ベルトを併用するためにベルト孔を設けることで台座部の重量が増加すると、台座部が重くて履物底から剥落し易くなって貼着部材を用いた固定手段の機能低下を将来してしまう恐れがあり、健康履物用器具の台座部の厚みを無闇に大きくできないという問題点がある。
【００１３】
そのうえ、特許文献２の健康履物用器具は通常の履物の履物底に後付けするものである故、この健康履物用器具を用いた健康履物は台座部及び単脚部の高さ分だけ通常の履物よりも底高となるところ、歩行（シーソーなどの運動動作を含む。以下同じ。）時の歩き易さや安定性を考慮すれば、健康履物の底丈を無闇に高くするべきでなく、適当な高さの底丈に抑制することも必要であるので、健康履物用器具の台座部の厚みを無闇に大きくできないという問題点がある。
【００１４】
そこで、特許文献２の単脚部の形態が横幅方向に貫通した空洞部を有する貫通型であることに着目すると、この空洞部に固定ベルトを挿通して健康履物用器具を履物に捲着することも可能なようにも思われるが、健康履物の単脚部の形態は貫通型ばかりではなく空洞部のない非貫通型であることもあるため、必ずしも貫通型の単脚部に固定ベルトを通して健康履物用器具を履物台に固定する手段が必ずしも好ましい選択であるとは言えないと考えられる。
【００１５】
また仮に、貫通型の単脚部の空洞部に固定ベルトを通して健康履物用器具を履物に取り付けることが可能であったとしても、かかる場合には、空洞部内で固定ベルトを台座部に対して何らかの手段で係着されなければ、固定ベルトが空洞内でズレ動いて歩行時に足下が不安定になる恐れもある。
【００１６】
本発明は、上述した問題点を解決するためになされたものであり、台座部の厚みを増加させずに固定ベルト及び貼着部材のどちらを用いても、使用者の好みに合った履物に後付けでき、その履物を健康履物として機能させることができる履物台脚及びその保護パッド並びに健康履物用器具及びこれを用いた健康履物を提供することを目的としている。
【課題を解決するための手段】
【００１７】
この目的を達成するために請求項１の履物台脚は、履物底と向き合って履物台が載置される載置面を有した台座部と、その台座部の載置面の裏面から下向き凸状かつ側面視弓形状に突設される単脚部とを有し、その単脚部が前記台座部を介して履物底に取り付けられることで履物を健康履物として機能させるものであり、前記載置面の前後両側にそれぞれ突設され履物底に衝合されて履物底と前記台座部との密着を邪魔する突起部と、その前側の突起部と後側の突起部との間にある前記載置面に設けられ固定ベルトが前記台座部の横幅方向に向かって配置されるベルト配置部と、そのベルト配置部における前記台座部の横幅方向両側に前記単脚部を避けて前記台座部の厚み方向に穿設され固定ベルトを挿通可能である一対のベルト孔とを備えており、前記載置面に履物台が載置される状態において、前記台座部と履物底との間であって前記ベルト配置部に配置される固定ベルトの長手方向両端部が前記各ベルト孔を通じて前記台座部の載置面の裏面にそれぞれ挿通されて履物甲に捲着可能となるものである。
【００１８】
この請求項１の履物台脚によれば、履物底を台座部の載置面に向き合わせた格好で履物台を載置面に載置してから、固定ベルトの長手方向両端部を台座部の幅方向両端部から引き出すようにして履物甲に捲着することで、履物は、下向き凸状かつ側面視弓形状をした単脚部が履物底からに突設された健康履物となる。
【００１９】
なお、台座部の載置面に貼着部材を設けることで、固定ベルトを用いずに履物底に固定するようにすることもできる。
【００２０】
ここで、台座部の載置面には前後両側にそれぞれ突起部が突設されており、載置面には前側の突起部と後側の突起部との間にベルト配置部が設けられ、このベルト配置部に固定ベルトが台座部の横幅方向に向かって配置される。履物台が載置面に載置された場合、これらの突起部が履物底に衝合されることで履物底と台座部との密着が邪魔される。
【００２１】
このため、特に、台座部の載置面に履物底を合わせた状態であっても履物台に体重を掛けずにおけば、突起部の邪魔により履物台と台座部との間に隙間ができ易くなるため、ベルト配置部に配置した固定ベルトでも比較的動かし易いので、台座部の載置面に履物台を載せたままの状態でも固定ベルトの位置や締め具合の調節が行い易くなる。
【００２２】
また、台座部の載置面側にあるベルト配置部に固定ベルトを配置して、この固定ベルトの長手方向両端部を台座部の横幅方向両側にそれぞれあるベルト孔に挿通させて履物甲側に引き出すことで、固定ベルトの長手方向両端部を履物甲に捲着した場合、固定ベルトはベルト孔の開口縁と台座部の横幅方向両縁に引っ掛かる格好となるので、履物甲に捲着した固定ベルトが台座部に対してズレ動き難くなる。
【００２３】
しかも、このように固定ベルトを台座部にある一方のベルト孔から台座部の載置面側に迂回させて、その載置面上に設定されたベルト配置部を通過させて他方のベルト孔から引き出すことによって、固定ベルトは、台座部に係着されるとともに載置面の裏面にある単脚部を避けながら台座部の横幅方向に掛け渡されるようになる。
【００２４】
請求項２の履物台脚は、請求項１の履物台脚において、前記単脚部は、側面視弓形板状に形成され前後両端部が前記台座部に一体的に連設される脚板部と、その脚板部の前記台座部との対向面間に横幅方向に貫通する空洞部と、その空洞部内に形成され前記脚板部から前記台座部まで立設される支柱部とを備えている。
【００２５】
この請求項２の履物台脚によれば、請求項１の履物台脚と同様に作用する上、台座部と脚板部とが一体的に連設形成されて台座部と脚板部との間に空洞部が設けられることで、この空洞部の分、単脚部の軽量化が図られる。しかも、空洞部内には脚板部から台座部まで立設される支柱部があるので、台座部と脚板部との連設箇所に作用する荷重を支柱部に分散でき、空洞部の形成に伴う剛性低下が原因となって脚板部が損傷することを抑制することができる。
【００２６】
請求項３の履物台脚は、請求項１又は２の履物台脚において、前記突起部の先端は尖形状に形成され履物底に食い込み可能に形成されている。また、請求項４の履物台脚は、請求項１から３のいずれかの履物台脚において、前記突起部は、前記載置面の前後左右４箇所から突設されるものである。
【００２７】
この請求項３又は４の履物台脚によれば、請求項１又は２に履物台脚と同様に作用する上、履物甲に固定バンドの両端部を捲着して履物台脚を履物（台）に取り付けた場合、突起部の尖形状の先端が履物底に食い込むことで、台座部のズレ動きを抑制できる。特に、履物台に体重が掛かることで履物底への突起部の食い込みが促されることから、健康履物を履いて歩行する際の台座部と履物台とのズレ動きを抑制できる。
【００２８】
請求項５の健康履物用器具は、請求項１から４のいずれかの前記履物台脚と、その履物台脚の前記載置面に履物台が載置される状態において、前記台座部と履物底との間であって前記ベルト配置部に配置され、両端部が前記各ベルト孔を通じて前記台座部の載置面の裏面にそれぞれ挿通されて履物甲に捲着可能となる固定ベルトとを備えている。
【００２９】
なお、この請求項５の健康履物用器具によれば、請求項１から４のいずれかの履物台脚に対して固定バンドを用いたのと同様に作用する。
【００３０】
請求項６の保護パッドは、履物台脚の単脚部に着脱自在に取り付けられその単脚部の外面を覆って保護するものであり、地面に接地可能な接地部と、その接地部の内面に所定高さ隆起して凸設される複数の緩衝突起と、前記接地部の前後両端から延設され履物台脚の単脚部に固定される取付部とを備えており、その前後の取付部及び接地部が互いに連なることで履物台脚の単脚部に適合した側面視弓形状に形成され、その側面視弓形状の形態を保持する保形性のある弾性材で一体的に形成されている。
【００３１】
この請求項６の保護パッドによれば、保護パッドにより履物台脚の単脚部の外面が覆われるので、単脚部の摩耗や摩滅による損傷を防止することができる。また、保護パッドは履物台脚の単脚部に着脱自在に取り付けられるので、保護パッドの接地部が摩耗した場合に、これを別の新たな保護パッドに交換もできる。さらに、保護パッドは履物台脚の単脚部が持つ側面視弓形状の彎曲形状に適合した彎曲形状の形態を保持する保形性を有するので、保護パッドが単脚部に装着される際に保護パッドと単脚部とが合致して噛み合うことでズレ動き難くなる。
【００３２】
しかも、保護パッドを単脚部に装着した場合、複数の緩衝突起が履物台脚の単脚部と保護パッドの接地部との間に介在する格好となるので、これら複数の緩衝突起を歩行に伴う足への荷重負荷に伴わせて接地部と単脚部との間で圧縮変形させることができ、この複数の緩衝突起の圧縮変形によって、歩行時に接地部と地面とが衝突することに伴う衝撃力が低減される。また、その衝突に伴う衝撃音の低減にも寄与するものと考えられる。
【００３３】
請求項７の保護パッドは、請求項６の保護パッドにおいて、前記複数の緩衝突起は前記接地部の内面から立設される扁平筒状に形成されている。
【００３４】
この請求項７の保護パッドによれば、請求項６の保護パッドと同様に作用する上、複数の緩衝突起が扁平筒状に形成されており、特に筒状であることによって緩衝突起が柱状である場合に比べて弾性変形し易くなるので緩衝性能が向上される。しかも、緩衝突起が扁平状であることから緩衝突起が座屈し難くなるので、歩行時の履物台への荷重負荷に伴って緩衝突起が折れ曲がって足が沈み込むような違和感が使用者に与えることを抑制できる。
【００３５】
請求項８の保護パッドは、請求項６又は７の保護パッドにおいて、前記前後の取付部に設けられ履物台脚の前後両側に固定具を用いて固定されるボス部と、そのボス部の裏面に凸設され履物台脚の前後に凹設される嵌合凹部に嵌合可能な扁平円錐台状の嵌合凸部とを備えている。
【００３６】
この請求項８の保護パッドによれば、請求項６又は７の保護パッドと同様に作用する上、前後の取付部のボス部が履物台脚の前後両側に固定具を用いて固定される。このとき、前後の取付部の各嵌合凸部が履物台脚の嵌合凹部に嵌合されることによって、保護パッドは履物台脚に対して適正位置に位置合せされる。このように適正位置に位置合せされることによって保護パッドが歩行時に履物台脚に対してズレ動くことが抑制される。
【００３７】
請求項９の保護パッドは、請求項６から８のいずれかの保護パッドにおいて、前記ボス部に穿設され固定具を係入可能な係入孔を備えており、前記嵌合凸部は、その嵌合凸部の前記嵌合凹部への嵌合によってその嵌合部内に設けられる固定具の係合部に対して前記係入孔を位置合せするものである。
【００３８】
この請求項９の保護パッドによれば、請求項６から８のいずれかの保護パッドと同様に作用する上、上記したように嵌合凸部を嵌合凹部に嵌合させることによって、ボス部の係入孔と嵌合凹部の係合部との位置合せを自然と行えるため、保護パッドの取付や交換が不慣れな使用者であってもこれをよりスムーズに行える。
【００３９】
請求項１０の健康履物用器具は、請求項１から４のいずれかの履物台脚と、請求項６か９のいずれかの保護パッドとを備えている。また、請求項１１の健康履物用器具は、請求項５の健康履物用器具において、請求項６から９のいずれかの保護パッドを備えている。
【００４０】
なお、請求項１０の健康履物用器具によれば、請求項１から４のいずれかの履物台脚及び請求項６から９のいずれかの保護パッドと同様に作用し、請求項１１の健康履物用器具によれば、請求項５の健康履物用器具及び請求項６から９のいずれかの保護パッドと同様に作用するものである。
【００４１】
請求項１２の健康履物は、請求項５、１０又は１１に記載の健康履物用器具を用いている。
【発明の効果】
【００４２】
本発明の履物台脚、健康履物用器具および健康履物によれば、履物の履物底を台座部の載置面に向き合わせて履物台を載置面に載置した状態で固定バンドの長手方向両端部を履物甲に捲着することで履物台脚を履物に後付けできる一方で、台座部の載置面に貼着部材を設けて台座部を履物底に貼着することでも履物台脚を履物に後付けもできるという効果がある。
【００４３】
しかも、固定ベルトを用いる場合には、その固定ベルトを台座部にある一方のベルト孔から台座部の載置面側に迂回させて、その載置面上に設定されたベルト配置部を通過させて他方のベルト孔から引き出すことによって、固定ベルトを、台座部に係着するとともに、なおかつ、載置面の裏面にある単脚部を避けながら台座部の横幅方向に貫通配設できるので、特許文献１記載の健康履物のように、横幅方向にベルト孔を貫通形成するため台座部を肉厚にすることが不要となり、台座部を小型かつ薄肉状に形成できるという効果がある。
【００４４】
そのうえ、台座部の載置面には前後両側にそれぞれ突起部が突設されるので、その載置面にあるベルト配置部に固定ベルトを台座部の横幅方向に配置した状態であっても、突起部が履物底に衝合することで履物底と台座部との密着を邪魔することができる。特に、台座部の載置面に履物底を載置して取り付ける場合には、履物台に体重を掛けずにおくことで、突起部の邪魔により履物台と台座部との間に隙間ができ易くなるため、ベルト配置部に配置した固定ベルトが動かし易くなり、固定ベルトの位置や締め具合の調節が行い易くなるという効果がある。
【００４５】
また、本発明の保護パッドは履物台脚の単脚部が持つ側面視弓形状の彎曲形状に適合した彎曲形状の形態を保持する保形性を有するので、この保護パッドを単脚部に装着した場合に保護パッドと単脚部とが合致して噛み合ってズレ動き難くなり、保護パッドを単脚部の適正位置に位置合せし易くなるという効果がある。しかも、保護パッドが保形性を有した弾性材で一体形成されるので、単脚部への装着時に保護パッドが自重で捩れるなどして取り付け難い格好に変形することを防止できるという効果がある。
【００４６】
そのうえ、保護パッドを単脚部に装着した場合、複数の緩衝突起が履物台脚の単脚部と保護パッドの接地部との間に介在する格好となるので、歩行に伴う足への荷重負荷によって接地部と単脚部との間で複数の緩衝突起を圧縮変形させることができ、この複数の緩衝突起の圧縮変形によって、歩行時に接地部と地面とが衝突することに伴う衝撃力を低減できるという効果がある。
【図面の簡単な説明】
【００４７】
【図１】本発明の一実施形態である履物台脚と、保護パッドと、これらを用いた健康履物用器具と、これを用いた健康履物に関する構造を示した断面図であり、（ａ）は、履物台脚の取付途中の状態を示した図であり、（ｂ）は、履物台脚の取付状態を示した図である。
【図２】図１（ｂ）のＡ−Ａ線における縦断面図であり、（ｂ）は、（ａ）の部分拡大図である。
【図３】健康履物の使用状態を示す側面図である。
【図４】（ａ）は、履物台脚の側面図（右側面図）であり、（ｂ）は、履物台脚の正面図であり、（ｃ）は履物台脚の背面図である。
【図５】（ａ）は、履物台脚の平面図であり、（ｂ）は、履物台脚の底面図である。
【図６】（ａ）は、履物台の斜視図であり、（ｂ）は、履物台脚に固定バンドを取り付けた状態を示した斜視図である。
【図７】（ａ）は、保護パッドの側面図（右側面図）であり、（ｂ）は、保護パッドの正面図であり、（ｃ）は、保護パッドの背面図である。
【図８】（ａ）は、保護パッドの平面図であり、（ｂ）は、保護パッドの底面図である。
【図９】（ａ）は、図７（ｂ）（正面図）のＢ−Ｂ線における端面図であり、（ｂ）は、図８（ａ）（平面図）のＣ−Ｃ線における端面図である。
【図１０】（ａ）は、履物台脚と保護パッドとの組立状態を示した平面図であり、（ｂ）は、履物台脚と保護パッドとの組立状態を示した底面図である。
【図１１】（ａ）は、履物台脚と保護パッドとの組立状態を示した正面図であり、（ｂ）は、履物台脚と保護パッドとの組立状態を示した背面図である。
【図１２】（ａ）は、履物台脚と保護パッドとの組立状態を示した側面図（右側面図）であり、（ｂ）は、図１１（ａ）（正面図）のＤ−Ｄ線における端面図である。
【図１３】（ａ）は、図１２（ａ）（側面図）のＥ−Ｅ線における断面図であり、（ｂ）は、図１２（ａ）（側面図）のＦ−Ｆ線における断面図であり、（ｃ）は、図１２（ａ）（側面図）のＧ−Ｇ線における端面図である。
【図１４】図１２（ａ）（側面図）のＨ−Ｈ線における断面図である。
【発明を実施するための形態】
【００４８】
以下、本発明の好ましい実施形態について、添付図面を参照して説明する。なお、本発明は下記の実施形態に何ら限定されるものではなく、本発明の趣旨を逸脱しない範囲内で種々の改良変形が可能であることは容易に推察できるものである。
【００４９】
本発明の一実施形態である履物台脚１と、保護パッド２０と、これらを用いた健康履物用器具５０と、これを用いた健康履物２００に関する構造を示した断面図であり、図１（ａ）は、履物台脚１の取付途中の状態を示した図であり、図１（ｂ）は、履物台脚１の取付状態を示した図である。図２は、図１（ｂ）のＡ−Ａ線における縦断面図であり、図２（ｂ）は、図１（ａ）の部分拡大図である。
【００５０】
図１及び図２に示すように、本実施形態の履物台脚１は、主に、台座部２と、単脚部３とを備えている。台座部２は、その上面が履物底１０１ａに向き合って履物台１０１を載置する載置面２ａとなっており、単脚部３は、台座部２の下面（載置面２ａの裏面）２ｂから下向き凸状かつ側面視弓形状に突設される単脚部３とを有し、その単脚部３が台座部２を介して履物底１０１ａに取り付けられることで履物１００を健康履物２００として機能させるものである。
【００５１】
また、履物台脚１は、載置面２ａの前後両側にそれぞれ突設され履物底１０１ａに衝合されて履物底１０１ａと台座部２との密着を邪魔する突起部４と、その前側の突起部４と後側の突起部４との間にある載置面２ａに設けられ固定ベルト１０が台座部２の横幅方向に向かって配置されるベルト配置部２ａ１（図５（ａ），図６参照。）と、そのベルト配置部２ａ１における台座部２の横幅方向両側に単脚部３を避けて台座部２の厚み方向に穿設され固定ベルト１０を挿通可能である一対のベルト孔５，５とを備えている。
【００５２】
また、履物台脚１は、載置面２ａに履物台１０１が載置される状態において、台座部２と履物底１０１ａとの間であってベルト配置部２ａ１に配置される固定ベルト１０の長手方向両端部１０ａ，１０ｂがベルト孔５，５を通じて台座部２の下面２ｂにそれぞれ挿通されて履物甲１０２に捲着可能となるものである。
【００５３】
また、履物台脚１の単脚部３は、側面視弓形板状に形成され前後両端部が台座部２に一体的に連設される脚板部３ａと、その脚板部３ａの台座部２との対向面間に横幅方向に貫通する空洞部３ｂと、その空洞部３ｂ内に形成され脚板部３ａから台座部２まで立設される支柱部３ｃとを備えている。
【００５４】
また、履物台脚１の突起部４の先端（上端）は尖形状に形成され履物底１０１ａに食い込み可能に形成されている。また、履物台脚１の突起部４は載置面２ａの前後左右４箇所から突設されるものである。
【００５５】
なお、台座部２の載置面２ａに貼着部材を設けることで、固定ベルト１０を用いずに履物底１０１ａに固定して使用しても良い。
【００５６】
本実施形態の保護パッド２０は、履物台脚１の単脚部３に着脱自在に取り付けられその単脚部３の外面Ａ１（図７（ａ）参照。）を覆って保護するものであり、地面に接地可能な接地部２１と、その接地部２１の内面Ｂ２（図７（ａ）参照。）に所定高さ隆起して凸設される複数の緩衝突起２２と、接地部２１の前後両端から延設され履物台脚１の単脚部３に固定される取付部２３，２４とを備えている。
【００５７】
保護パッド２０は、接地部２１と前後の取付部２３，２４とが所定の厚みを持つ板状に形成されており、これら接地部２１及び取付部２３，２４が互いに連なることで履物台脚１の単脚部３に適合した側面視弓形状に形成され、その側面視弓形状の形態を保持する保形性のある弾性材で一体的に形成されている（図７（ａ）参照。）。
【００５８】
また、保護パッド２０における複数の緩衝突起２２は接地部２１の内面Ｂ２から立設される扁平筒状に形成されている。
【００５９】
また、保護パッド２０は、前後の取付部２３，２４にそれぞれ設けられ履物台脚１の前後両側に固定具３０を用いて固定されるボス部２５と、その各ボス部２５の裏面に凸設され履物台脚１の前後に凹設される嵌合凹部３ｄに嵌合可能な扁平円錐台状の嵌合凸部２６とを備えている。
【００６０】
また、保護パッド２０は、ボス部２５に穿設され固定具３０を係入可能な係入孔２５ａを備えており、嵌合凸部２６は、その嵌合凸部２６の嵌合凹部３ｄへの嵌合によってその嵌合凹部３ｄ内に設けられる固定具３０用の係合部３ｅに対して係入孔２５ａを位置合せするものである。
【００６１】
本実施形態の健康履物用器具５０は、固定ベルト１０とを備えたものであり、この固定ベルト１０が、上記した履物台脚１と、その履物台脚１の載置面２ａに履物台１０１が載置される状態において、台座部２と履物底１０１ａとの間であってベルト配置部２ａ１に配置され、その長手方向両端部１０ａ，１０ｂが各ベルト孔５，５を通じて台座部２の下面２ｂにそれぞれ挿通されて履物甲１０２に捲着可能となるものである。
【００６２】
なお、健康履物用器具５０は、上記した履物台脚１の単脚部３に保護パッド２０を装着したものであっても良い。
【００６３】
本実施形態の健康履物２００は、履物台脚１の台座部２の載置面２ａに両面テープなどの貼着部材を設けて、この貼着部材を介して台座部２を履物底１０１ａに貼着固定したものである。また、健康履物２００は、履物台脚１に更に保護パッド２０を装着したものであっても良い。また、健康履物２００は、これらの健康履物２００の貼着部材に代えて、固定ベルト１０により使用者の足３００ごと履物甲１０２に捲着して固定するものであっても良い。
【実施例】
【００６４】
以下、本発明の好ましい実施例について、添付図面を参照して説明する。図３は、健康履物２００の使用状態を示す側面図である。図３に示すように、健康履物２００は、履物１００の底（履物台１０１の底面（履物底１０１ａ））に健康履物用器具５０を後付けしたものである。この履物１００は、概ね平面状の履物底１０１ａを有した履物１００、例えば雪駄、草履、靴などである。
【００６５】
健康履物用器具５０は、主に履物台脚１と固定ベルト１０と保護パッド２０とを備えている。この健康履物用器具５０は、その履物台脚１が固定ベルト１０を介して履物１００に取り付けられている。固定ベルト１０は、履物台脚１が係着されており、この固定ベルト１０が履物甲１０２に使用者の足３００ごと捲着されることで、履物台脚１が履物１００及び使用者の足３００に固定される。
【００６６】
固定ベルト１０は、弾性的に伸縮する所定の厚み及び幅を有したゴム入織物で形成されている伸縮バンドである。この固定ベルト１０は例えば５ｃｍ程度の幅広帯状に形成されている。この固定ベルト１０が履物甲１０２及び使用者の足３００に捲着されるとこで、固定ベルト１０が適度に伸縮し、この伸縮に伴う締め付け力により固定ベルト１０の密着度が向上される。
【００６７】
また、固定ベルト１０の長手方向両端部１０ａ，１０ｂには両者を着脱可能に係着するする面ファスナなどの係着具１０ｃ，１０ｄが設けられており、固定ベルト１０の両端部１０ａ，１０ｂを重ね合わせて係着具１０ｃ，１０ｄを対向当接することで固定ベルト１０の両端部が係着されるようになっている。
【００６８】
次に、健康履物用器具５０の履物台脚１及び保護パッド２０について説明する。図４から図６は履物台脚１の部品図である。なお、履物台脚１の左側面図は、図４（ａ）に示した履物台脚１の右側面図と対称に表れる。
【００６９】
図４（ａ）は、履物台脚１の側面図（右側面図）である。図４（ａ）に示すように、履物台脚１は主に台座部２と単脚部３とを備えている。履物台脚１はポリカーボネート等の硬質樹脂を用いた一体成形品である。この履物台脚１は、履物１００の履物台１０１の底面（履物底１０１ａ）に取り付けられて、この履物１００を健康履物２００として機能させるために使用される器具である（図３参照。）。
【００７０】
台座部２は履物底１０１ａに当着される部位である（図１及び図２参照。）。台座部２は側面視平板状に形成されている。単脚部３はそれが直接地面に又は保護パッド２０を介して地面に接地する部位である。単脚部３は下向きに凸状をした側面視弓形板状形成されている。単脚部３の前後方向の両端部は台座部２の前側部分及び後側部分にそれぞれ連設されている。
【００７１】
単脚部３は側面視凸状の外面Ａ１と側面視凹面状の内面Ａ２とを有している。単脚部３の内面Ａ２と台座部２の下面２ｂとの間には側面視扁平逆釣り鐘状の空洞部３ｂが形成されている。空洞部３ｂの前後方向中央には単脚部３の内面Ａ２谷底から台座部２の下面まで垂直に支柱部３ｃが立設されている。支柱部３ｃの上下両端は台座部２及び単脚部３と連設されて一体化されている。支柱部３ｃは台座部２に対して略直角に連設されている。空洞部３ｂは、支柱部３ｃの前後両側で履物台脚１の横幅方向（紙面に対する垂直方向）に貫通している。
【００７２】
支柱部３ｃは単脚部３の補強材であって使用者の荷重が作用することによる単脚部３の撓屈を防止するものである。支柱部３ｃはその前後両面が台座部２の前後方向と交差面となる板状に形成されている。支柱部３ｃの前後面と単脚部３の内面Ａ２との間に単脚部３の横幅方向に貫通する空洞部３ｂとなっている。脚板部３ａには側面視円弧状に彎曲した下端部３ａ１が設けられる。脚板部３ａの下端部３ａ１は、後述する保護パッド２０を介して地面に主に接地される部位である。
【００７３】
脚板部３ａにはこの彎曲した下端部３ａ１の前端から前側上方へ向かって斜設される前斜部３ａ２が設けられる。さらに、単脚部３にはこの彎曲した下端部３ａ１の後端から後側上方へ向かって斜設される後斜部３ａ３が設けられる。結果、前斜部３ａ２及び後斜部３ａ３は脚板部３ａの下端部３ａ１から側面視逆ハの字状に台座部２へ向かって延設されている。
【００７４】
脚板部３ａの前斜部３ａ２及び後斜部３ａ３は下端部３ａ１から台座部２へ向かうに従って板厚が漸増することで単脚部３と台座部２との連設箇所の剛性が強化されている。台座部２に人体の荷重が作用することによる単脚部３と台座部２との連設箇所の破損を抑制するためである。
【００７５】
図４（ｂ）は、履物台脚１の正面図（前面図）であり、図４（ｃ）は履物台脚１の背面図（後面図）であり、図５（ｂ）は、履物台脚１の底面図である。図４（ｂ）及び図４（ｃ）並びに図５（ｂ）に示すように、単脚部３の前斜面の上部と後斜面の上部には保護パッド２０の固定用ネジ穴３ｅがそれぞれ凹設されている。
【００７６】
各固定用ネジ穴３ｅの周囲にはそれと同心円状の嵌合凹部３ｄが凹設されている。各嵌合凹部３ｄには、保護パッド２０のボス部２５の嵌合凸部２６が嵌合可能となっている。この嵌合により保護パッド２０の前後両端部が履物台脚１の適正位置に位置合せされる。
【００７７】
図５（ａ）は、履物台１０１の平面図である。図５（ａ）に示すように、台座部２は左右対称形に形成されている。台座部２は前端部の幅に比べて後端部の幅が小さく形成されている。台座部２の幅は前端部から後端部へ向かう途中から一定割合で漸減したような形状をしている。台座部２の前後方向両端部はいずれも円弧状に形成されている。台座部２の前端部及び後端部はいずれもその横幅方向両側の角部が円弧状に丸められている。また、台座部２の上面には計４本の尖形突起４が配設されている。
【００７８】
また、台座部２の横幅方向両側にはベルト孔５，５が１つずつ穿設されている。この２つのベルト孔５，５は、履物１００を履いた使用者の足３００に履物台脚１を固定するため、固定ベルト１０を通す貫通孔である。２つのベルト孔５，５はいずれも台座部２の前後方向に直線状に細長く延びる長孔である。
【００７９】
２つのベルト孔５，５はいずれも台座部２の左右両側の側縁より内側であって尖形突起４よりも外側に穿設されている。この２つのベルト孔５，５は台座部２の厚み方向に貫通しており空洞部３ｂと連通している（図１３参照。）。２つのベルト孔５，５は台座部２を平面視した場合に左右対称かつ平行となるように穿設されている。
【００８０】
また、図１３（ｃ）は単脚部３の縦端面図であり、図１４は単脚部３の横断面図である。図１３（ｃ）及び図１４に示すように、支柱部３ｃは平板状に形成されている。支柱部３ｃの横幅方向（台座部２の横幅方向と同じ方向をいう。）両端部は２つのベルト孔５，５よりも内側に位置している。
【００８１】
上記した図４（ｂ）及び図４（ｃ）に示した履物台脚１の前面図及び後面図に戻って説明する。図４（ｂ）及び図４（ｃ）に示すように、４本の尖形突起４は台座部２の前端側と後端側にそれぞれ２本ずつ配設されている。いずれも台座部２を正面視及び背面視した場合に左右対称となるように凸設されている。また各尖形突起４の所端部は三角錐状に形成されており、履物底１０１ａに食い込み易く形状になっている。
【００８２】
図７から図９は、保護パッド２０の部品図である。保護パッド２０は、履物台脚１の単脚部３の外面Ａ１に取着されるものである。この保護パッド２０は、履物台脚１の単脚部３を損傷から保護するとともに、歩行時に滑り止め作用や、緩衝機能や、消音機能を発揮するものである。保護パッド２０は履物台脚１の単脚部３の外面Ａ１（図４（ａ）参照。）に装着して使用される。
【００８３】
図７（ａ）は、保護パッド２０の側面図である。図７（ａ）に示すように、保護パッド２０は全体として側面視弓形状に形成されている。保護パッド２０には接地部２１と前後の取付部２３，２３とが設けられている。接地部２１は地面に接地する部位である。前後の取付部２３，２３は履物台脚１の単脚部３の前斜部３ａ２と後斜部３ａ３とに固定ビス３０を用いてネジ止め固定される部位である。
【００８４】
接地部２１は側面視円弧状に形成されている。前後の取付部２３，２３は接地部２１の前後両端からほぼ直線状に延設されている。保護パッド２０は、側面視凸面状をした外面Ｂ１と、側面視凹面状をした内面Ｂ２とを有している。接地部２１の外面Ｂ１は所定厚み隆起している。接地部２１の内面Ｂ２には所定高さ隆起した緩衝突起２２が複数凸設されている。
【００８５】
複数の緩衝突起２２は履物台脚１の単脚部３における下端部３ａ１の外面Ａ１と密着当接される（図２（ｂ）参照。）。各緩衝突起２２は、接地部２１の彎曲方向に所定間隔を隔てて凸設されている。この複数の緩衝突起２２が履物台脚１の単脚部３と保護パッド２０の接地部２１との間に介在することで、人体の荷重が加わった場合にこれらが弾性変形して緩衝作用と吸音作用とが行われる。
【００８６】
なお、本実施例では、突起部４が接地部２１の前後方向に所定間隔を隔てて３箇所に凸設されている。
【００８７】
図７（ａ）から図７（ｃ）に示すように、前後の取付部２３，２３はその先端部にボス部２５がそれぞれ設けられている。各ボス部２５は取付部２３，２３の内面Ｂ２に嵌合凸部２６を有している。前後の嵌合凸部２６は履物台脚１の前後にある嵌合凹部３ｄのそれぞれに嵌合可能な扁平円錐台状に形成されている。嵌合凸部２６が扁平円錐台状に形成することで、嵌合凸部２６の先端が小径状となるので、嵌合凹部３ｄに挿嵌され易くなる。
【００８８】
保護パッド２０は、単脚部３の彎曲形状に適合した彎曲形状をした側面視弓形状に形成されている。保護パッド２０はこの側面視弓形状を保持するのに十分な保形性（硬さ）と緩衝材としての可撓性（弾性）とを併有した合成樹脂材料で形成されている。例えば、保護パッド２０の素材には、シリコンゴムなど弾性材料を使用して良い。
【００８９】
このように保形性があることで、保護パッド２０の内面Ｂ２（上面）が単脚部３の外面Ａ１と合致し易なり、保護パッド２０が単脚部３から位置ズレし難くなる。しかも、保護パッド２０の形状が単脚板３の彎曲形状に適合した彎曲形状をしていることから、歩行時に保護パッド２０が単脚部３に対してズレ動きにくくなることため、固定ビス３０，３０に対して保護パッド２０のズレ動きに伴う外力が作用し難くなる。これにより、固定ビス３０の緩みや固定用ネジ穴３ｅの損傷なども軽減される。
【００９０】
図８（ａ）は、保護パッド２０の平面図（上面図）である。図８（ａ）に示すように、保護パッド２０の内面Ｂ２であって前後の取付部２３，２３におけるボス部２５の裏面には嵌合凸部２６が凸設されている。嵌合凸部２６の中央には通孔２５ａ（図７（ｂ）及び図７（ｃ）参照。）が穿設されている。この通孔２５ａは固定ビス３０を通す貫通孔である。固定ビス３０は、保護パッド２０を単脚部３に固定するために単脚部３の固定用ネジ穴３ｅに螺入される固定具である。
【００９１】
保護パッド２０の内面Ｂ２には複数の緩衝突起２２が列設されている。緩衝突起２２はいずれも扁平円筒状に形成されている。緩衝突起２２は、保護パッド２０の横幅方向全体にわたって等間隔で複数個が一列状に形成されている。緩衝突起２２の列は、保護パッド２０の前後方向に等間隔で３列分ある。これらの緩衝突起２２は接地部２１の内面Ｂ２全体に配設されている。
【００９２】
ここで、図８（ａ）では、緩衝突起２２が平面視楕円形状に現れているが、緩衝突起２２の上端面に対して垂直方向から矢視（上面視）した場合、緩衝突起２２は円形の筒状（図９参照。）に形成されている。なお、このように緩衝突起２２は上面視円形筒状であるが、かかる緩衝突起２２の上面視形状は必ずしもこれに限定されるものではなく、例えば上面視Ｃ字状などの環状形であっても良い。
【００９３】
図８（ｂ）は、保護パッド２０の底面図（下面図）である。図８（ｂ）に示すように、接地部２１には前後方向及び横幅方向に対して所定角度を成して複数本の細溝２１ａが格子状に凹設されている。接地部２１の外面Ｂ１は、複数本の細溝２１ａによって正菱形状の複数のブロック２１ｂに区画されており、各ブロック２１ｂが地面との接触により独立して変形可能となっている。
【００９４】
この保護パッド２０は、地面との摩擦抵抗が履物台脚１の素材に比べて大きな合成樹脂材料で形成されており、地面と摩擦接触することで滑り止め機能が発揮されるとともに、各ブロック２１ｂが地面と接地して変形することで滑り止め作用が更に向上されている。
【００９５】
図１０から図１４は、履物台脚１に対する保護パッド２０の取付状態を説明した図である。図１２（ａ）は、履物台脚１及び保護パッド２０の組立側面図であり、図１２（ｂ）は、図１１（ａ）に示した履物台脚１及び保護パッド２０の組立正面図のＤ−Ｄ線における端面図である。
【００９６】
図１２に示すように、台座部２の前端部と単脚部３の前端部と連設部分は台座部２の下面と前斜部３ａ２の外面Ａ１とが略への字状に繋がり、同様に、台座部２の後端部と単脚部３の後端部と連設部分も台座部２の下面と後斜部３ａ３の外面Ａ１とが略への字状に繋がっている。
【００９７】
このため、台座部２と前斜部３ａ２との連設部分は台座部２の前端を通って単脚部３の下端部３ａ１と接する接線よりも内側に凹んだ凹陥部５１となり、台座部２と後斜部３ａ３との連設部分は台座部２の後端を通って単脚部３の下端部３ａ１と接する接線よりも内側に凹んだ凹陥部５２となる。
【００９８】
そして、単脚部３の前斜部３ａ２の上部前面と後斜部３ａ３の上部後面とはいずれもこれらの凹陥部５１，５２内にあり、この凹陥部５１，５２内に保護パッド２０の前後にある各取付部２３のボス部２５及び固定ビス３０の頭部が配設された状態となる。このため、図３に示すように単脚部３を用いて健康履物２００を前後にシーソー運動させるときに、保護パッド２０の前後にある取付部２３及び固定ビス３０の頭部が地面と接触することを防止できる。
【００９９】
また、保護パッド２０は、前側の取付部２３が単脚部３の前斜部３ａ２の傾斜方向に沿って台座部２の前部側に引っ張られ、かつ、後側の取付部２４が単脚部３の後斜部３ａ３の傾斜方向に沿って台座部２の後部側に引っ張られた状態で、固定ビス３０，３０によって台座部２に固定されている。
【０１００】
このように保護パッド２０には前後両側の取付部２３，２４に張力が付与されるため、これら取付部２３，２４により接地部２１の前後両端部が引っ張られ、接地部２１の内面Ｂ２にある複数の緩衝突起２２が脚板部３の下端部３ａ１に圧接される。
【０１０１】
この圧接によって、複数の緩衝突起２２と単脚部３の外面Ａ１とが密着されるので、歩行時に単脚部３から保護パッド２０が離反し難くなる。その結果、歩行時に接地部２１の内面Ｂ２と脚板部３ａの外面Ａ１とが衝突して生じる衝突音も低減される。
【０１０２】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、本実施例において用いた各部材の形状、寸法、個数等は必ずしも上記したものに限定されるものではなく、適宜変更しても良い。
【符号の説明】
【０１０３】
１                  履物台脚
２                  台座部
２ａ                載置面
２ａ１              ベルト配置部
２ｂ                台座部の下面（載置面の裏面）
３                  単脚部
３ａ                脚板部
３ｂ                空洞部
３ｃ                支柱部
３ｄ                嵌合凹部
３ｅ                係合部、固定用ネジ穴
４                  突起部、尖形突起
５，５              ベルト孔
１０                固定ベルト
１０ａ，１０ｂ      固定ベルトの長手方向両端部
２０                保護パッド
２１                接地部
２２                緩衝突起
２３，２３          取付部
２５                ボス部
２５ａ              係入孔、通孔
２６                嵌合凸部
３０                固定具、固定ビス
５０                健康履物用器具
１０１ａ            履物底
１０１              履物台
１００              履物
１０２              履物甲
２００              健康履物
Ａ１                単脚部（脚板部）の外面
Ａ２                単脚部（脚板部）の内面
Ｂ１                保護パッド（接地部、取付部）の外面
Ｂ２                保護パッド（接地部、取付部）の内面
【図１】
2015019796.tif 000003
【図２】
2015019796.tif 000004
【図３】
2015019796.tif 000005
【図４】
2015019796.tif 000006
【図５】
2015019796.tif 000007
【図６】
2015019796.tif 000008
【図７】
2015019796.tif 000009
【図８】
2015019796.tif 000010
【図９】
2015019796.tif 000011
【図１０】
2015019796.tif 000012
【図１１】
2015019796.tif 000013
【図１２】
2015019796.tif 000014
【図１３】
2015019796.tif 000015
【図１４】
2015019796.tif 000016